(57)【要約】【課題】  設置対象物に対して梯子がその立て掛け状態から後方及び左右方向に揺らぐことを未然に防止し、該梯子の使用状態の安全性を可及的に確保することができる梯子用の転倒防止装置を提供する。【解決手段】  梯子Ｙの一部に装着される基プレート２と、基プレート２の上部側に傾動可能に取付けられた押えアーム４と、基プレート２の下部側に傾動可能に取付けられかつ押えアーム２と対向状に延在された受承アーム６とからなり、この押えアーム４と受承アーム６とは、基プレート２に対して設置対象物Ｚを上下方向から挟持するように固止可能に構成されている。【選択図】図１
2008069619.tif 000002
【特許請求の範囲】
【請求項１】
梯子の一部に装着される基プレートと、該基プレートの上部側に傾動可能に取付けられた押えアームと、前記基プレートの下部側に傾動可能に取付けられかつ前記押えアームと対向状に延在された受承アームとからなり、この押えアームと受承アームとは、前記基プレートに対して設置対象物を上下方向から挟持するように固止可能に構成されていることを特徴とする梯子用の転倒防止装置。
【請求項２】
請求項１記載の梯子用の転倒防止装置であって、前記基プレートと押えアーム及び受承アームが、前記梯子の一部に対し所定の間隔をおいて左右２箇所に装設されていることを特徴とする梯子用の転倒防止装置。
【請求項３】
請求項１または２記載の梯子用の転倒防止装置であって、前記基プレートが前記梯子を構成する側杆或いは踏桟に対し、固定具を介して着脱可能に装設されることを特徴とする梯子用の転倒防止装置。
【請求項４】
請求項１または２記載の梯子用の転倒防止装置であって、前記押えアームの一端には、折曲状のフック部が形成されていることを特徴とする梯子用の転倒防止装置。
【発明の詳細な説明】
【技術分野】
【０００１】  本発明は、梯子を例えば、建物の屋根や架設された通信用の通線等の設置対象物に立て掛けた使用状態において、該梯子の転倒を未然に防止するための梯子用の転倒防止装置に関するものである。
【背景技術】
【０００２】  一般に、この種の梯子にあって、その使用時に転倒を防止する装置としては、梯子の両側杆の上部に対して設置対象物に引掛け状に係合する係合具を装着したり、また梯子の両側杆の下部に対して幅広の滑り止め具を装着したりする等、種々の防止具（手段）が案出されている。
そして、従来、その転倒防止を強化する手段として、例えば、梯子の上部において、該梯子の側杆部位に回動可能に可動アームを装着し、設置対象物に対し梯子を立て掛けるとともに、該可動アームを操作ロープの作動によって設置対象物の下面側に当接して該梯子を設置対象物に固定する構造のものが案出されている。（特許文献１参照）
また、梯子の下部において、梯子の側杆にそれぞれ支脚を取り付け、該支脚の設置部側を前記梯子における側杆の設置点の外側後方にアウトリガー形式の構成のように設置する構造のものが案出されている。（特許文献２参照）
【特許文献１】  特開２００３−２６２０８２号公報
【特許文献２】  特開２００５−１３９８１２号公報
【発明の開示】
【発明が解決しようとする課題】
【０００３】  しかしながら、上記した従来の手段において、前者の構造のものにあっては、設置対象物を、立て掛けた梯子の側杆による当接部位と可動アームによる下面とでほぼ挟持状態とするものの、その挟持状態は不安定かつ不完全なもので、その安全性の確保を満足するには至っておらず、可動アームの作動にあってもその操作が面倒なものであった。
また、後者の構造のものにあっては、設置対象物に対し、梯子を支脚によるアウトリガー形式の構成によりある程度安定した状態で立て掛けることができるものの、その設置面によっては梯子が後方及び左右方向に揺らぐ等の自体が生起することは避けられず、依然としてその安全性の確保を満足するには至っていなかった。
そこで、本発明は、設置対象物に対して梯子がその立て掛け状態から後方及び左右方向に揺らぐことを未然に防止し、該梯子の使用状態の安全性を可及的に確保することができる梯子用の転倒防止装置を提供することを課題とする。
【課題を解決するための手段】
【０００４】  上記した課題は、各請求項記載の考案によって解決される。
請求項１記載の発明は、梯子の一部に装着される基プレートと、該基プレートの上部側に傾動可能に取付けられた押えアームと、前記基プレートの下部側に傾動可能に取付けられかつ前記押えアームと対向状に延在された受承アームとからなり、この押えアームと受承アームとは、前記基プレートに対して設置対象物を上下方向から挟持するように固止可能に構成されていることを特徴とする。
この構成によれば、梯子に装着された基プレートに対し、押えアームと受承アームとをそれぞれ傾動して設置対象物の上下面側に当接した状態で固止し、この押えアームと受承アームとにより設置対象物、例えば、屋根の軒等の突出部位を上下方向から確実に挟持して該設置対象物に立て掛けた梯子を後方及び左右方向に揺らぐことなく安定した状態で設置するものである。【０００５】  請求項２記載の発明は、請求項１記載の梯子用の転倒防止装置であって、前記基プレートと押えアーム及び受承アームが、前記梯子の一部に対し所定の間隔をおいて左右の２箇所に装設されていることを特徴とする。
この構成によれば、上記した請求項１に加え、梯子の立て掛け状態における安定化をより一層良好に確保するものである。【０００６】  請求項３記載の発明は、請求項１または２記載の梯子用の転倒防止装置であって、前記基プレートが前記梯子を構成する側杆或いは踏桟に対し固定具を介して着脱可能に装設されていることを特徴とする。
この構成によれば、上記した請求項１或いは２に加え、梯子の本体に対し基プレート、押えアーム、受承アームからなる転倒防止装置全体の取扱いを簡単かつ容易にするとともに、既存の種々の梯子に対する装着に簡易に対応するものである。【０００７】  請求項４記載の発明は、請求項１または２記載の梯子用の転倒防止装置であって、前記押えアームの一端には、折曲状のフック部が形成されていることを特徴とする。
この構成によれば、上記した請求項１或いは２に加え、押えアームのフック部の引っ掛け係合機能を利用することによって、架設された通信用の通線等に梯子を簡単に立て掛けることができるものである。
【発明の効果】
【０００８】  請求項１記載の発明においては、押えアームと受承アームとにより設置対象物を上下方向から確実に挟持して該設置対象物に立て掛けた梯子を後方及び左右方向に揺らぐことなく安定した状態で設置することができ、その転倒を未然に防止し、梯子の使用状態の安全性を可及的に確保することができる。【０００９】  請求項２記載の発明によれば、上記請求項１の効果に加え、押えアームと受承アームとによる挟持状態を左右の２箇所でなし得るので、梯子の立て掛け状態における左右方向の揺らぎを確実に防止して設置状態の安定化をより一層良好に確保することができる。【００１０】  請求項３記載の発明によれば、上記請求項１或いは２の効果に加え、梯子の本体に対する転倒防止装置全体の装着及び取外し、さらにはその運搬等の取扱いを簡単かつ容易にするとともに、既存の種々の梯子に対する装着に簡易に対応することができる。【００１１】  請求項４記載の発明によれば、上記した請求項１或いは２の効果に加え、押えアームのフック部の引っ掛け係合機能を利用して架設された通信用の通線等に梯子を簡単に立て掛けることができ、梯子の安定した使用範囲を拡大することができる。
【発明を実施するための最良の形態】
【００１２】  次に、本発明を実施するための最良の形態について、実施例にしたがって説明する。
【実施例】
【００１３】  図に示すように、本実施例の梯子用の転倒防止装置１は、所定の長さの断面Ｌ字状からなる基プレート２と、該基プレート２の一端部（図では上端部）に傾動可能に支ピン３を介して軸支された平板状の押えアーム４と、同じく該基プレート２の他端部（図では下端部）に傾動可能に支ピン５を介して軸支された平板状の受承アーム６とを主体として構成されている。
この基プレート２、押えアーム４、受承アーム６を主体とする転倒防止装置１は同様に構成されたものが左右対（組）の状態で後述する梯子の一部に装着されるものである。なお、基プレート２、押えアーム４、受承アーム６の各部材は軽量で、剛性、強度に優れた材料、例えば、アルミニウム製が好ましい。【００１４】  前記基プレート２はその平板状の基片部を取付け片２ａとし、該基片部からの立ち上り片２ｂのほぼ両端部位に前記押えアーム４、受承アーム６が支ピン３、５を介してそれぞれ軸支されており、その近傍には押えアーム４、受承アーム６の傾動範囲を所望の範囲に規制するとともに、該押えアーム４、受承アーム６を基プレート２に固止するための後述する締着手段を取付けるほぼ弧状の第１及び第２の案内長孔７、８がそれぞれ貫設されている。【００１５】  前記押えプレート４は、その一端側が自由端として構成されるとともに、ほぼＶ字状に折曲されたフック部９が形成され、該フック部９の外端縁が当接押え面９ａとして形成されている。また、押えプレート４における前記第１の案内長孔７に対応する部位には、直線状の案内長孔１０が貫設され、この案内長孔１０には該第１の案内長孔７に対し一方側への抜脱が阻止された状態で嵌挿された締め付け手段を構成する締付けボルト１１が挿通されて、該締付けボルト１１のねじ部に同じく締め付け手段を構成する締付け蝶ナット１２が螺合されている。
そして、押えプレート４は、締付け手段における締付けボルト１０に対して締付け蝶ナット１１を弛緩することによって、該案内長孔１０、締付けボルト１１及び第１の案内長孔７を介して所定範囲の傾動が許容され、締付け手段における締付けボルト１１に対して締付け蝶ナット１２を締付けることによって、基プレート２に対して固止されるものである。
なお、前記フック部９における外面全体には所望の絶縁手段（図示しない）を施しておくことが好ましい。【００１６】  前記受承アーム６は、その一端側が自由端として構成されるとともに、そのほぼ先端部の内端縁が当接受承面６ａとして形成されている。そして、受承プレート６における前記第２の案内長孔８に対応する部位には、直線状の案内長孔１３が貫設され、この第２の案内長孔１３には該第２の案内長孔８に対し一方側への抜脱が阻止された状態で嵌挿された締め付け手段を構成する締付けボルト１４が挿通されて、該締付けボルト１４のねじ部に同じく締め付け手段を構成する締付け蝶ナット１５が螺合されている。
しかして、受承プレート６は、締付け手段における締付けボルト１４に対して締付け蝶ナット１５を弛緩することによって、該案内長孔１３、締付けボルト１４及び第２の案内長孔８を介して所定範囲の傾動が許容され、締付け手段における締付けボルト１４に対して締付け蝶ナット１５を締付けることによって、基プレート２に対して固止されるものである。【００１７】  前記基プレート２の立ち上り片２ｂのほぼ両端部位に取付けブラケット１６、１６が固定され、この取付けブラケット１６、１６と基プレート２の取付け片２ａとの間にはそれぞれＬ字状の締付けボルト１７が装着され、該締付けボルト１７の両端のねじ部は取付けブラケット１６、１６と基プレート２の取付け片２ａを貫通されてそれぞれ締付けナット１８〜１８が螺合されている。この取付けブラケット１６、Ｌ字状の締付けボルト１７、締付けナット１８等の構成が、本発明の請求項３における固定具に相当するものである。【００１８】  上述のように構成された転倒防止装置１は、その全体を梯子Ｙの上端部に装着するものであり、まず、基プレート２の取付け片２ａを梯子Ｙの側杆Ｙ１に面してその上下の取付けブラケット１６、１６と該基プレート２の取付け片２ａにわたって装着したＬ字状の締付けボルト１７を該梯子Ｙの側杆Ｙ１の外側に沿って回すように位置させて該締付けボルト１７と、これに螺合する締付けナット１８〜１８の締付けによって強固に固定する。
この場合、該締付けボルト１７の位置を梯子Ｙの踏桟Ｙ２の上部に位置させることによりその下方への移動が阻止できるものであるが、基プレート２における立ち上り片２ｂの反対側側縁の該梯子Ｙの踏桟Ｙ２に係合する係合部を形成して装着時の下方への移動を阻止するようにしてもよい。【００１９】  そして、梯子Ｙを設置対象物Ｚ、例えば、屋根の軒に立て掛けるとともに、その梯子Ｙの上端部位に装着した転倒防止装置１における押えプレート４を、支ピン３を支点として傾動して該設置対象物Ｚ、例えば、屋根の軒の上面に当接した状態で締付け手段における締付けボルト１０に対して締付け蝶ナット１１を締付けることによって、基プレート２に対して固止する。【００２０】  一方、受承プレート６を、支ピン５を支点として傾動して、該設置対象物Ｚ、例えば、屋根の軒のした面に当接した状態で締付け手段における締付けボルト１４に対して締付け蝶ナット１５を締付けることによって、基プレート２に対して固止する。【００２１】  この基プレート２の固止された押えアーム４と受承アーム６とにより、設置対象物Ｚ、例えば、屋根の軒の上下面をその上下方向から当接させて挟持するものであり、これによって、梯子Ｙを設置対象物Ｚ、例えば、屋根の軒に対して後方及び左右方向に揺らぐことなく、安定した状態で立て掛けることができ、該梯子Ｙにおける転倒を未然に防止することができる。（図６、７参照）【００２２】  なお、押えアーム４と受承アーム６とによる挟持状態を解除する場合には、各締付けボルト１１、１４に対して各締付け蝶ナット１２、１５を弛緩することによりその状態を解除することができる。
また、転倒防止装置１全体を梯子Ｙから取外す場合には、締付けボルト１７に対し締付けナット１８〜１８を弛緩して該締付けボルト１７を取付けブラケット１６から抜脱することによって取外すことができ、他の種々の梯子に対する装着を可能にするものである。【００２３】  そして、押えアーム４をそのフック部９の開放部位を下向きにして基プレート２に固止し、該押えアーム４のフック部９の引っ掛け係合機能を利用することによって、例えば、架設された通信用の通線Ｘ等に梯子を簡単に立て掛けることができるものである。（図８参照）
この場合、フック部９における外面全体に所望の絶縁手段（図示しない）を施すことによって、通信用の通線Ｘ等へ立て掛け時の安全性を確保し得るものである。
なお、受承アーム６は、図示実線で示すように、押えアーム４側に位置させるか、仮想線で示すように下方に垂れ下げた状態に位置させておくものである。【００２４】  また、本転倒防止装置１を梯子Ｙの左右の側杆Ｙ１にそれぞれ装着（左右１組として装着）して上述したように使用することによって、梯子の立て掛け状態における左右方向の揺らぎを確実に防止して設置状態の安定化をより一層確保し得るものである。【００２５】  なお、本実施例にあっては、梯子Ｙの左右に装着される転倒防止装置１の基プレート２を連結して一体状に構成することが可能であり、また、基プレート２、押えアーム４、受承アーム６、固定具の各構成においても図示のものに限定するものではなく、本発明の主旨を逸脱しない範囲において種々の変更が可能である。
【図面の簡単な説明】
【００２６】
【図１】  一実施例の形態を示す転倒防止装置全体の正面図である。
【図２】  同じく転倒防止装置全体の側面図である。
【図３】  図１のＡ−Ａ線断面図である。
【図４】  図１のＢ−Ｂ線断面図である。
【図５】  図１のＣ−Ｃ線断面図である。
【図６】  転倒防止装置を梯子に装着した状態及びその使用状態を示す斜視図である。
【図７】  同じく転倒防止装置を梯子に装着した状態及びその使用状態を示す正面図である。
【図８】  別の使用状態を示す正面面である。
【符号の説明】
【００２７】１  転倒防止装置
２  基プレート
４  押えアーム
６  受承アーム
９  フック部
Ｙ  梯子
【図１】
2008069619.tif 000003
【図２】
2008069619.tif 000004
【図３】
2008069619.tif 000005
【図４】
2008069619.tif 000006
【図５】
2008069619.tif 000007
【図６】
2008069619.tif 000008
【図７】
2008069619.tif 000009
【図８】
2008069619.tif 000010